(57)【要約】    【課題】  印刷紙の紙流れや紙擦れを簡単に防止する。    【解決手段】  ノズル１１内の熱風通路は、両端を開口端と閉鎖端にし、上面又は下面に噴出口１２を設け、噴出口上流側に整流板２１を設け、整流板上流側に仕切り板２２を設けて、整流板側の本道２３と反対側の脇道２４とに区画し、本道と脇道の閉鎖端側を連絡孔２５で連通した。脇道２４に流入した熱風が連絡孔２５を通って本道２３の閉鎖端側に流入し、その熱風と、本道２３にその開口端から流入する熱風とが整流板２１の多数の孔を通過して噴出口１２から吹き出し、走行中の印刷紙に当る。本道２３と脇道２４の開口端側に弁板３１を設けた。弁板３１が本道２３に進入するに従って本道が絞られ、逆に脇道２４に進入するに従って脇道が絞られる。弁板３１に操作棒３３を連結し、操作棒３３の端を熱風通路の外に突出して操作部３４にした。操作部３４の操作で熱風を本道と脇道に分ける割合が変わる。【選択図】  図４
2006175802.tif 000002
【特許請求の範囲】
【請求項１】
乾燥室は、入口から出口にかけて前後方向に印刷紙通路を形成し、印刷紙通路の上側と下側に、それぞれ、左右方向に長いノズルを前後方向に並列して設け、帯状の印刷紙は、印刷紙通路を走行中に上下面に、それぞれ、多数のノズルから吹き出す熱風が当る印刷紙の乾燥装置において、
ノズルは、内部を熱風通路にし、熱風通路の左右の両端を開口端と閉鎖端にし、印刷紙通路に対面する熱風通路の上面又は下面に細長い噴出口を左右方向に沿って設け、熱風通路の噴出口上流側に、多数の孔を貫通した整流板を設け、熱風が、熱風通路にその開口端から流入し、整流板の多数の孔を通過して噴出口から吹き出す構成にした吹き出し機構であって、
ノズルの熱風通路は、整流板の上流側に仕切り板を設け、仕切り板の整流板側の本道と、仕切り板の整流板側と反対側の脇道とに区画し、熱風通路の開口端に流入する熱風が二分されて本道と脇道に流入する構成にし、本道と脇道の閉鎖端側を連絡孔で連通し、脇道に流入した熱風が連絡孔を通って本道の閉鎖端側に流入し、本道に連絡孔から流入する熱風と、本道にその開口端から流入する熱風とが整流板の多数の孔を通過して噴出口から吹き出す構成にし、
本道と脇道の開口端側に弁板を設け、弁板が本道に進入するに従って本道の開口端が絞られ、弁板が脇道に進入するに従って脇道の開口端が絞られる構成にし、
弁板に操作棒を連結し、操作棒の端を熱風通路の外に突出し、操作棒の突出端を操作部にし、操作部を操作すると弁板が本道又は脇道に進入して熱風を本道と脇道に分ける割合が変わる構成にしたことを特徴とする熱風吹き出し機構。
【請求項２】
操作棒の操作部は、熱風通路の閉鎖端側に突出して配置したことを特徴とする請求項１に記載の熱風吹き出し機構。
【請求項３】
弁板の操作は、操作棒の操作部を引き出したり押し込んだりして操作部の突出量を増減する構成にしたことを特徴とする請求項１又は２に記載の熱風吹き出し機構。
【発明の詳細な説明】
【技術分野】
【０００１】
本発明は、印刷紙を熱風で乾燥させる装置における熱風の吹き出し機構に関する。
【背景技術】
【０００２】
巻取紙の印刷ラインにおいては、帯状の印刷紙は、高速オフセット印刷機を通過して印刷され、乾燥装置の熱風中を走行して加熱され、印刷インキが乾燥し、冷却装置を通過して冷却される。
【０００３】
熱風による乾燥装置は、特許文献１に開示されているように、印刷機と冷却装置との間に乾燥室を設けている。箱形の乾燥室は、前端壁に横長の入口を、後端壁に横長の出口を設け、入口から出口にかけて前後方向に印刷紙通路を形成している。印刷紙通路の上側と下側には、それぞれ、印刷紙通路を横断する左右方向に長いノズルを前後方向に並列して設けている。印刷紙通路を走行する印刷紙は、上下面に、それぞれ、ノズルから吹き出す熱風が当り、上下面の印刷インキが乾燥する。
【０００４】
ノズル１１は、図２と図３に例示するように、左右方向に長い概略箱形状の箱形体であり、箱形体の内部を熱風通路にしている。左右方向に長い熱風通路は、左右の両端を熱風入口の開口端と行止りの閉鎖端にしている。印刷紙通路４の下側のノズル１１は、箱形体の上面に、その熱風通路の上面に接続する２本の細長い噴出口１２を左右方向に沿って設けている。印刷紙通路４の上側のノズル１１は、箱形体の下面に、その熱風通路の下面に接続する２本の細長い噴出口１２を左右方向に沿って設けている。
【０００５】
印刷紙通路４下側の並列したノズル１１は、それらの熱風通路の開口端に下側の共通通路１３を接続している。印刷紙通路４上側の並列したノズル１１は、それらの熱風通路の開口端に上側の共通通路１３を接続している。上側の共通通路１３と下側の共通通路１３は、熱風を供給する加熱空気循環路に接続している。
【０００６】
ノズル１１の従来の熱風通路は、図７と図８に例示するように、噴出口１２の上流側にパンチングメタルの整流板２１を噴出口１２と平行に設けている。また、熱風通路の横断方向に沿って複数の邪魔板５１を整流板２１の上流側に整流板２１と直角に設けている。熱風は、ノズル１１の熱風通路にその開口端から流入し、複数の邪魔板５１に邪魔されつつ流れ、整流板２１の多数の孔を通過して、噴出口１２から吹き出し、印刷紙通路４を走行中の印刷紙に当たる。
【０００７】
【特許文献１】特開２００４−３３０５６０号公報
【発明の開示】
【発明が解決しようとする課題】
【０００８】
帯状の印刷紙は、乾燥室の入口から出口にかけて印刷紙通路を前後方向に走行するとき、上下面に、それぞれ、左右方向に長い多数のノズルから吹き出す熱風が当り、熱風の当りによって力を受ける。
【０００９】
左右方向に長いノズルの噴出口から吹き出す熱風は、吹き出しの方向が左側又は右側の片側に傾いたり、吹き出しの流速ないし流量が噴出口の左側部分と右側部分とで異なったりすると、走行中の印刷紙は、左側又は右側に流れ、蛇行し、円滑な走行が妨げられる。印刷紙の乾燥が左右方向に斑になることがある。また、走行中の印刷紙は、上側又は下側のノズルに接触して擦れ、上面又は下面が傷付くことがある。
【００１０】
このような紙流れや紙擦れは、ノズルの噴出口から吹き出す熱風が走行中の印刷紙に与える力の均衡が崩れることに起因している。熱風が当り始める乾燥室入口側部分や、熱風の当りが終る乾燥室出口側部分で発生することが多い。
【００１１】
そこで、紙流れや紙擦れを防止するため、ノズルは、内部の熱風通路に邪魔板を固定する。この邪魔板は、熱風の流れを制御するため、大きさや位置を調整する。この調整には、多くの手間が掛かる。
【００１２】
また、特定の印刷紙について邪魔板を調整して固定した場合、その印刷紙とは厚さなどの寸法や物性が異なる印刷紙については、邪魔板を再調整しないと、紙流れや紙擦れが発生することがある。ノズル内部の熱風通路に固定した邪魔板を再調整するには、多くの手間が掛かる。
【課題を解決するための手段】
【００１３】
１）乾燥室は、入口から出口にかけて前後方向に印刷紙通路を形成し、印刷紙通路の上側と下側に、それぞれ、左右方向に長いノズルを前後方向に並列して設け、帯状の印刷紙は、印刷紙通路を走行中に上下面に、それぞれ、多数のノズルから吹き出す熱風が当る印刷紙の乾燥装置において、
ノズルは、内部を熱風通路にし、熱風通路の左右の両端を開口端と閉鎖端にし、印刷紙通路に対面する熱風通路の上面又は下面に細長い噴出口を左右方向に沿って設け、熱風通路の噴出口上流側に、多数の孔を貫通した整流板を設け、熱風が、熱風通路にその開口端から流入し、整流板の多数の孔を通過して噴出口から吹き出す構成にした吹き出し機構であって、
ノズルの熱風通路は、整流板の上流側に仕切り板を設け、仕切り板の整流板側の本道と、仕切り板の整流板側と反対側の脇道とに区画し、熱風通路の開口端に流入する熱風が二分されて本道と脇道に流入する構成にし、本道と脇道の閉鎖端側を連絡孔で連通し、脇道に流入した熱風が連絡孔を通って本道の閉鎖端側に流入し、本道に連絡孔から流入する熱風と、本道にその開口端から流入する熱風とが整流板の多数の孔を通過して噴出口から吹き出す構成にし、
本道と脇道の開口端側に弁板を設け、弁板が本道に進入するに従って本道の開口端が絞られ、弁板が脇道に進入するに従って脇道の開口端が絞られる構成にし、
弁板に操作棒を連結し、操作棒の端を熱風通路の外に突出し、操作棒の突出端を操作部にし、操作部を操作すると弁板が本道又は脇道に進入して熱風を本道と脇道に分ける割合が変わる構成にしたことを特徴とする熱風吹き出し機構。
【００１４】
２）上記の熱風吹き出し機構において、
操作棒の操作部は、熱風通路の閉鎖端側に突出して配置した。
【００１５】
３）上記の熱風吹き出し機構において、
弁板の操作は、操作棒の操作部を引き出したり押し込んだりして操作部の突出量を増減する構成にした。
【発明の効果】
【００１６】
操作棒の操作部を操作すると、熱風通路の開口端に流入する熱風を熱風通路の本道と脇道に分ける割合が変わり、本道にその開口端から流入する熱風と、本道にその閉鎖端側の連絡孔から流入する熱風との比率が変化する。すると、ノズルの噴出口から吹き出す熱風は、吹き出しの方向が熱風通路の開口端側又は閉鎖端側に振れる。又は、吹き出しの流速ないし流量が噴出口の熱風通路開口端側部分又は閉鎖端側部分で増減し、噴出口の両側部分での流速ないし流量の差ないし比率が変化する。
【００１７】
従って、操作棒の操作部を操作することで、ノズルの噴出口から吹き出す熱風が走行中の印刷紙に与える力の均衡を調整することができ、紙流れや紙擦れを防止することができる。熱風通路内の邪魔板の調整のような多くの手間が掛からない。
【００１８】
操作棒の操作部を熱風通路の閉鎖端側に配置した場合、乾燥室の熱風通路閉鎖端側は、マンサイドと呼ばれ、反対側のギヤサイドとは異なり、作業者が行き来する場所であるので、操作部の操作が容易である。
【発明を実施するための最良の形態】
【００１９】
印刷ラインは、図１に示すように、高速オフセット印刷機Ｐ、乾燥装置Ｄ、冷却装置Ｃと、図示しない折機を順次配列している。印刷機Ｐにおいては、図示しないが、巻取紙から帯状の紙が引き出され、その帯状の紙は印刷ローラを通過して印刷される。印刷機Ｐから高速で送り出される帯状の印刷紙ａは、乾燥装置Ｄを通過して熱風で加熱され、紙面に付着している印刷インキが乾燥する。乾燥装置Ｄで加熱された印刷紙ａは、冷却装置Ｃの冷却ローラを通過し、冷却される。
【００２０】
乾燥装置Ｄは、印刷機Ｐと冷却装置Ｃとの間に乾燥室１を設けている。箱形の乾燥室１は、前端壁に横長長方形状の入口２を、後端壁に横長長方形状の出口３を設け、入口２から出口３にかけて前後方向に印刷紙通路４を形成している。帯状の印刷紙ａは、乾燥室１の入口２、印刷紙通路４と出口３を順次通過する。
【００２１】
細長直方体形状の乾燥室１は、入口２側の３／４位を加熱室５にし、出口側の１／４位を非加熱室６にしている。加熱室５と非加熱室６との間の仕切壁には、印刷紙通路４が貫通する横長長方形状の通過口７を設けている。加熱室５は、内部が加熱区域となる。細長い加熱区域は、３等分し、第１加熱区域８、第２加熱区域９と第３加熱区域１０を入口２側から順次配列している。
【００２２】
第１加熱区域８は、その印刷紙通路４の上側と下側に、それぞれ、左右方向に長いノズル１１を前後方向に並列して設け、多数のノズル１１を、印刷紙通路４を挟んで千鳥状に配列している。印刷紙通路４の上側と下側の各ノズル１１は、それぞれ、印刷紙通路４に向けて加熱空気を吹き出す。
【００２３】
ノズル１１は、図２と図３に示すように、印刷紙ａを横断する方向、左右方向に長い概略箱形状の箱形体であり、箱形体の内部を熱風通路にしている。左右方向に長い熱風通路は、左右の両端を熱風入口の開口端と行止りの閉鎖端にしている。印刷紙通路４の下側のノズル１１は、箱形体の上面に、その熱風通路の上面に接続する２本の細長い噴出口１２を左右方向に沿って設けている。印刷紙通路４の上側のノズル１１は、箱形体の下面に、その熱風通路の下面に接続する２本の細長い噴出口１２を左右方向に沿って設けている。
【００２４】
印刷紙通路４下側の並列したノズル１１は、それらの熱風通路の開口端に下側の共通通路１３を接続している。印刷紙通路４上側の並列したノズル１１は、それらの熱風通路の開口端に上側の共通通路１３を接続している。上側の共通通路１３と下側の共通通路１３は、熱風を供給する加熱空気循環路に接続している。
【００２５】
加熱空気循環路は、図１に示すように、送風機１４、風量調整弁１５と加熱装置１６を順次接続し、送風機１４の吸込口を第１加熱区域８内に開放し、加熱装置１６の出口を上側の共通通路１３と下側の共通通路１３にそれぞれ接続している。第１加熱区域８は、内部の空気を加熱装置１６で加熱し、加熱空気を多数のノズル１１で、印刷紙通路４を走行する印刷紙ａの上面と下面に吹き付ける。
【００２６】
第２加熱区域９と第３加熱区域１０も、それぞれ、第１加熱区域８と同様に、多数のノズル１１、上下の共通通路１３と加熱空気循環路１４、１５、１６を設けている。
【００２７】
非加熱室６は、内部が非加熱区域となる。非加熱区域は、加熱区域８、９、１０と同様に、多数のノズル１１と上下の共通通路１３を設けている。ただし、加熱空気循環路１４、１５、１６に代えて、非加熱空気を供給する非加熱空気循環路を設けている。非加熱空気循環路は、送風機１７と風量調整弁１８を接続し、送風機１７の吸込口を非加熱区域内に開放し、送風機１７の吐出口を、風量調整弁１８を介して、上側の共通通路１３と下側の共通通路１３にそれぞれ接続している。非加熱区域は、内部の空気を加熱せず、非加熱空気を多数のノズル１１で、印刷紙通路４を走行する印刷紙ａの上面と下面に吹き付ける。
【００２８】
非加熱区域は、加熱区域８、９、１０で加熱された印刷紙ａを非加熱空気で冷却し、また、印刷紙ａに随伴する印刷インキの溶剤蒸気を非加熱空気で剥ぎ取る。非加熱区域内部の空気は、加熱区域８、９、１０を通過した高温の印刷紙ａが通過して加熱される。ノズル１１から吹き出す非加熱空気は、加熱装置では加熱されていないが、非加熱区域内部の空気が加熱されているので、常温の風ではなく、熱風である。印刷紙通路４を走行する印刷紙ａは、上下面に、それぞれ、加熱区域８、９、１０ではノズル１１から吹き出す加熱空気の熱風が当り、非加熱区域ではノズル１１から吹き出す非加熱空気の熱風が当る。
【００２９】
この乾燥装置Ｄにおいて、紙流れや紙擦れが発生し易い個所は、入口２側部分即ち第１加熱区域８の始り部分と出口３側部分即ち非加熱区域の終り部分の外、第１加熱区域８の終り部分、第２加熱区域９の始り部分と終り部分、第３加熱区域１０の始り部分と終り部分、及び、非加熱区域の始り部分である。
【００３０】
ノズル１１の熱風吹き出し機構は、紙流れや紙擦れが発生し易い各区域の始り部分と終り部分と、紙流れや紙擦れが発生し難い各区域の中間部分とで異なる。
【００３１】
各区域の始り部分と終り部分のノズル１１は、図４〜図６に示すように、熱風通路の噴出口１２上流側に、多数の孔を貫通したパンチングメタルの整流板２１を左右方向に沿って噴出口１２と平行に設けている。熱風は、共通通路１３から熱風通路にその開口端を経て流入し、整流板２１の多数の孔を通過して噴出口１２から吹き出す。
【００３２】
ノズル１１の箱形体は、整流板２１の上流側に仕切り板２２を左右方向に沿って整流板２１と平行に設け、仕切り板２２の整流板２１側の本道２３と、仕切り板２２の整流板２１側と反対側の脇道２４とに熱風通路を上下に区画している。共通通路１３から熱風通路の開口端に流入する熱風は、二分されて本道２３の開口端と脇道２４の開口端に流入する。
【００３３】
仕切り板２２は、熱風通路の閉鎖端側に連絡孔２５を設け、本道２３と脇道２４の閉鎖端側を連絡孔２５で連通している。脇道２４に流入した熱風は、連絡孔２５を通って本道２３の閉鎖端側に流入する。本道２３にその閉鎖端側の連絡孔２５から流入する熱風と、本道２４にその開口端から流入する熱風は、本道２４内で衝突し、整流板２１の多数の孔を通過して噴出口１２から吹き出す。
【００３４】
また、仕切り板２２は、熱風通路の開口端側の端に弁板３１を本道２３側と脇道２４側に回転可能に取り付け、本道２３と脇道２４の開口端側に流量制御用の弁板３１を設けている。弁板３１は、仕切り板２２と同一面に位置する中立位置から、本道２３側に回転して本道２３に進入するに従って本道２３の開口端が絞られる。逆に、脇道２４側に回転して脇道２４に進入するに従って脇道２４の開口端が絞られる。
【００３５】
弁板３１は、本道２３側の板面に連結片３２を固定している。連結片３２は、先端に操作棒３３の先端を回転可能に連結している。操作棒３３は、左右方向に沿って仕切り板２２と平行に配置し、基端を熱風通路の閉鎖端の外に突出し、突出端を操作部３４にしている。
【００３６】
操作棒３３の操作部３４は、手で引き出して、その突出量を増加すると、湾曲可能な操作棒３３と連結片３２が移動し、弁板３１が本道２３側に回転して本道２３に進入し、本道２３に流入する熱風の流量が減少すると共に、脇道２４に流入する熱風の流量が増加する。逆に、手で押し込んで、その突出量を減少すると、弁板３１が脇道２４側に回転して脇道２４に進入し、脇道２４に流入する熱風の流量が減少すると共に、本道２３に流入する熱風の流量が増加する。操作部３４の突出量を増減して操作部３４を操作すると、弁板３１が本道２３又は脇道２４に進入して、熱風通路に流入する熱風を本道１３と脇道２４に分ける割合が変わる。操作部３４の突出量の増減で弁板３１を操作する機構３２、３３は、構造が簡単である。
【００３７】
熱風通路の閉鎖端の外に突出した操作部３４は、図４に示すように、ノズル１１の箱形体の端面に固定した取付片３５を貫通し、取付片３５に螺合したボルト３６で固定している。これらの操作部分３４〜３６は、乾燥室１の熱風通路閉鎖端側、作業者が行き来するマンサイドに配置している。作業者による操作が容易である。なお、その反対側のギヤサイド、乾燥室１の熱風通路開口端側は、上側と下側の共通通路１３、各加熱空気循環路の送風機１４、風量調整弁１５と加熱装置１６及び非加熱空気循環路の送風機１７と風量調整弁１８を配置している。
【００３８】
紙流れや紙擦れが発生し難い各区域の中間部分のノズル１１は、紙流れや紙擦れが発生し易い各区域の始り部分と終り部分のノズル１１と同様に、パンチングメタルの整流板２１を設けているが、熱風通路のバイパス機構２１〜２５と流量制御用の弁機構３１〜３６を設けていない。
【００３９】
乾燥装置Ｄを運転するときは、各加熱空気循環路の送風機１４と加熱装置１６を作動し、非加熱空気循環路の送風機１７を作動する。印刷ラインを作動すると、乾燥装置Ｄを通過する印刷紙ａは、乾燥室１の印刷紙通路４を走行し、入口２、加熱室５の加熱区域８、９、１０、通過口７、非加熱室６の非加熱区域と出口３を順次通過する。印刷紙ａは、加熱室５の加熱区域８、９、１０で、上面と下面に多数のノズル１１から加熱空気の熱風を吹き付けられる。次に、非加熱室６の非加熱区域で、上面と下面に多数のノズル１１から非加熱空気の熱風を吹き付けられる。
【００４０】
印刷紙ａの紙流れ又は紙擦れが、例えば入口２側部分、第１加熱区域８の始り部分で発生するときには、その部分のノズル１１において、ボルト３６を緩めて操作棒３３を移動可能にし、操作部３４の突出量を増加又は減少する。このように操作部３４を操作すると、そのノズル１１において、弁板３１が回転し、熱風通路の開口端に流入する熱風が本道１３と脇道２４に分かれる割合が変わり、本道２３にその開口端から流入する熱風と、本道２４にその閉鎖端側の連絡孔２５から流入する熱風との比率が変化する。
【００４１】
すると、噴出口１２から吹き出す熱風は、吹き出しの方向が熱風通路の開口端側又は閉鎖端側に振れる。又は、吹き出しの流速ないし流量が噴出口１２の熱風通路開口端側部分又は閉鎖端側部分で増減し、噴出口１２の両側部分での流速ないし流量の差ないし比率が変化する。噴出口１２から吹き出す熱風が走行中の印刷紙ａに与える力の均衡が調整され、紙流れ又は紙擦れが発生しなくなる。紙流れ又は紙擦れが止まると、ボルト３６を締めて操作棒３３を固定し、弁板３１の位置を保持し、熱風が噴出口１２から吹き出す方向や流速ないし流量を維持する。
【００４２】
［変形例］
１）上記の実施形態においては、乾燥装置Ｄの乾燥室１は、加熱室５の外に非加熱室６を設けているが、非加熱室６を設けず、加熱室５のみにする。
２）上記の実施形態においては、乾燥室１の加熱室５は、加熱区域を３区域に分けているが、２区域又は４以上の区域に分ける。又は、加熱区域は、分けず、１区域にする。
３）上記の実施形態においては、流量制御用の弁板３１の操作は、操作棒３３の操作部３４を引き出したり押し込んだりして操作部３４の突出量を増減するが、操作部を一方向に回転したり他方向に回転したりして操作部の回転量を増減する。
【図面の簡単な説明】
【００４３】
【図１】本発明の実施形態における印刷紙の乾燥装置の概略縦断側面図。
【図２】同乾燥装置の第１加熱区域の下側ノズル列の部分拡大側面図。
【図３】同下側ノズル列の部分拡大平面図。
【図４】図２のＡ−Ａ線断面拡大図。
【図５】図４のＢ−Ｂ線断面図。
【図６】図４のＣ−Ｃ線断面図。
【図７】従来のノズルを示し、図４と同じ位置の断面図。
【図８】図７のＤ−Ｄ線断面図。
【符号の説明】
【００４４】
Ｐ  高速オフセット印刷機、印刷機
Ｄ  乾燥装置
Ｃ  冷却装置
ａ  帯状の印刷紙、印刷紙
１  乾燥室
２  乾燥室の入口、加熱室の入口
３  乾燥室の出口、非加熱室の出口
４  乾燥室の印刷紙通路
５  加熱室、加熱区域
６  非加熱室、非加熱区域
７  通過口、加熱室の出口、非加熱室の入口
８  加熱室の第１加熱区域
９  加熱室の第２加熱区域
１０  加熱室の第３加熱区域
１１  ノズル、加熱空気の熱風を吹き出すノズル、非加熱空気の熱風を吹き出すノズル
１２  ノズルの噴出口
１３  下側の共通通路、上側の共通通路、共通通路
１４  加熱空気循環路の送風機
１５  加熱空気循環路の風量調整弁
１６  加熱空気循環路の加熱装置
１７  非加熱空気循環路の送風機
１８  非加熱空気循環路の風量調整弁
２１〜２５  熱風通路のバイパス機構
２１  ノズルの整流板、パンチングメタル
２２  ノズルの仕切り板
２３  ノズルの熱風通路の本道
２４  ノズルの熱風通路の脇道
２５  本道と脇道の連絡孔
３１〜３６  流量制御用の弁機構
３１  流量制御用の弁板
３２、３３  弁板の操作機構
３２  弁板の連結片
３３  弁板の操作棒
３４〜３６  弁板の操作部分
３４  操作棒の操作部
３５  取付片
３６  ボルト
５１  邪魔板
【図１】
2006175802.tif 000003
【図２】
2006175802.tif 000004
【図３】
2006175802.tif 000005
【図４】
2006175802.tif 000006
【図５】
2006175802.tif 000007
【図６】
2006175802.tif 000008
【図７】
2006175802.tif 000009
【図８】
2006175802.tif 000010